(57)【特許請求の範囲】
【請求項１】
任意の位置にチェックライターで機械読取り可能な金額の数字、記号が印字される金座欄を有する用紙本体の表面に少なくとも前記金座欄を覆うように顕色剤層が積層され、該金座欄上の顕色剤層上にマイクロカプセルでなる発色剤層が積層されており、該マイクロカプセルは、５０〜５００ＭＰａの圧力で破壊する堅牢タイプであることを特徴とする有価証券用紙。
【請求項２】
前記請求項１に記載の有価証券用紙にチェックライターでＰＣＳ値（Ｐｒｉｎｔ  Ｃｏｎｔｒａｓｔ  Ｓｉｇｎａｌ）が０．８以上の濃度の金額が印字されていることを特徴とする有価証券。
【請求項３】
金座欄を有する用紙本体の表面に少なくとも前記金座欄を覆うように顕色剤層が積層され、該金座欄上の顕色剤層上にマイクロカプセルでなる発色剤層が積層されており、該マイクロカプセルは、５０〜５００ＭＰａの圧力で破壊する堅牢タイプであることを特徴とする有価証券用紙の金座欄の任意の位置にチェックライターでＰＣＳ値（Ｐｒｉｎｔ  Ｃｏｎｔｒａｓｔ  Ｓｉｇｎａｌ）が０．８以上の濃度の機械読取り可能な金額の数字、記号が印字することを特徴とする印字方法。
【発明の詳細な説明】
【０００１】
【発明の属する技術分野】
本発明は、小切手、約束手形等のための有価証券用紙に関するものであり、さらに詳しくは、チェックライターで印字されている金額が機械処理で確実に読み取りを可能にする有価証券用紙およびそれを用いた有価証券に関する。
【０００２】
【従来の技術】
従来、顧客（個人、法人）が発行した小切手や約束手形が金融機関で処理される際、チェックライターで印字されている金額の入力処理は、目視にて確認しながら端末入力を行っている。
【０００３】
上記のチェックライターとは、凸状の活字にスタンプインキを着けながら有価証券用紙の金座欄（金額が印字される欄）に押圧で縦縞凹凸のエンボスを形成して金額を印字し、数字が改竄されないようにする器具であり、このエンボス度合いやスタンプインキの着き具合は、顧客が所持する個々のチェックライターによってバラツキがあり、さらにまた印字する人によっても濃度のバラツキが生じ、濃度の低いものが多くあるのが現状である。
【０００４】
有価証券用紙に当初から決まった金融機関名等の情報は、磁性インキで印刷したりあるいはＯＣＲで読み取りができるように充分な濃度で印刷されているため、この部分の情報は機械読み取りは可能であるが、金座欄には顧客が印字するため上記のような理由で機械読み取りに対して充分な濃度で印字されているとは限らず、このことが機械で自動処理する上で問題点の一つとなっていた。
【０００５】
【発明が解決しようとする課題】
本発明は、かかる従来技術の問題点を解決するものであり、その課題とするところは、チェックライターや印字する人が異なっても、印字された金額を確実に機械読み取りとその処理を可能にする有価証券用紙およびそれを用いた有価証券を提供することにある。
【０００６】
【課題を解決するための手段】
本発明に於いて上記課題を達成するために、まず請求項１の発明では、任意の位置にチェックライターで金額の数字、記号が印字される金座欄を有する用紙本体の表面に少なくとも前記金座欄を覆うように顕色剤層が積層され、該金座欄上の顕色剤層上にマイクロカプセルでなる発色剤層が積層されており、該マイクロカプセルは、５０〜５００ＭＰａの圧力で破壊する堅牢タイプであることを特徴とする有価証券用紙としたものである。
【０００７】
また、請求項２の発明では、前記請求項１に記載の有価証券用紙にチェックライターでＰＣＳ値（Ｐｒｉｎｔ  Ｃｏｎｔｒａｓｔ  Ｓｉｇｎａｌ）が０．８以上の濃度の金額が印字されていることを特徴とする有価証券としたものである。
【０００８】
また、請求項３の発明では、金座欄を有する用紙本体の表面に少なくとも前記金座欄を覆うように顕色剤層が積層され、該金座欄上の顕色剤層上にマイクロカプセルでなる発色剤層が積層されており、該マイクロカプセルは、５０〜５００ＭＰａの圧力で破壊する堅牢タイプであることを特徴とする有価証券用紙の金座欄の任意の位置にチェックライターでＰＣＳ値（Ｐｒｉｎｔ  Ｃｏｎｔｒａｓｔ  Ｓｉｇｎａｌ）が０．８以上の濃度の金額の数字、記号が印字することを特徴とする印字方法としたものである。
【０００９】
本発明によれば、金座欄上に積層された発色剤層上からチェックライターで押圧印字すると、その圧力で発色剤層中のマイクロカプセルが破壊され、マイクロカプセル中の電子受容性無色染料が顕色剤層中の電子供与性酸性物質と反応して発色し、金額を示す数字や記号の濃度がＰＣＳ値０．８以上に向上し、機械読み取りに耐えうる有価証券用紙が提供できる。
【００１０】
上記ＰＣＳ値とは、次式で定義される反射濃度であり、この値が大きいほど濃度が高い。
ＰＣＳP ＝（ＲW −ＲP ）／ＲW 
ＰＣＳP は、点ＰのＰＣＳ値
ＲW は、測定対象領域内の最大反射率
ＲP は、点Ｐに於ける反射率
測定機器は、マクベス反射率／濃度計：ＰＣＭ−II, Ｂフィルター
なお、上記圧力１ＭＰａは約１０ｋｇｆ／ｃｍ2 である。
【００１１】
【発明の実施の形態】
以下本発明の実施の形態を説明する。
本発明は、例えば、小切手や約束手形で代表される有価証券の用紙に関するものであり、さらに詳しくは、図２に示すように、任意の位置に有する金座欄（２０）にチェックライターで印字される金額（Ｋ）の数字、記号が機械で確実に読取り処理されるような濃度をもつ有価証券（１）を得るための有価証券用紙に関するものである。
【００１２】
そこでまず、請求項１の発明は、図１（ａ）の正面図に示すように、任意の位置に、チェックライターで金額の数字、記号が印字される金座欄（２０）を有する用紙本体（３０）の表面に、図１（ｂ）の図１（ａ）におけるＢ−Ｂ断面図に示すように、例えば表面（３０ａ）全面に顕色剤層（１０）が積層され、該金座欄（２０）上の顕色剤層（１０）上にマイクロカプセルでなる発色剤層（１２）が積層されている有価証券用紙（２）とするものである。
【００１３】
あるいは図１（ｃ）の図１（ａ）におけるＢ−Ｂ断面図に示すように、例えば前記金座欄（２０）のみを覆うように顕色剤層（１０）が積層され、該金座欄（２０）上の顕色剤層（１０）上にマイクロカプセルでなる発色剤層（１２）が積層されている有価証券用紙（２）とすることもできる。
【００１４】
また、請求項２の発明は、前記発色剤層（１２）中のマイクロカプセルは、５０〜５００ＭＰａの圧力で破壊する堅牢タイプであることを特徴とするものである。このマイクロカプセルが５０ＭＰａに満たない圧力で破壊するタイプのものでは、有価証券用紙（２）の取扱中、即ち小切手や約束手形の機械処理に至る前段階での僅かな圧力で発色する恐れがあり、トラブルの原因となるので好ましくない。また、５００ＭＰａを越えた圧力で破壊するマイクロカプセルであると、チェックライターで押圧すると用紙が破れ、孔が開いてしまったりして確実に発色しないなどの恐れがあるので好ましくない。
【００１５】
以上のような構成の有価証券用紙（２）を用いて、チェックライターで発色剤層（１２）の上から押圧印字すると、例えそのチェックライターや印字する人が異なっても、発色剤層（１２）中のマイクロカプセルが破壊され、このマイクロカプセルに包含されている電子受容性無色染料が顕色剤層（１０）中の電子供与性酸性物質と反応して発色し、図２に示すように、金額（Ｋ）を示す数字や記号の濃度がＰＣＳ値０．８以上に向上し、機械読み取りに可能な有価証券（１）とすることができる。
【００１６】
以下に本発明の有価証券用紙（１）を構成する顕色剤層（１０）と発色剤層（１２）の材料等について説明する。
まず、発色剤層（１２）を構成する電子受容性無色染料としては、ロイコ染料が使用され、代表例として初期発色は速いが耐久性に劣るクリスタルバイオレットラクトン（ＣＶＬ）、発色立ち上がりが遅いが耐久性に優れるベンゾイルロイコメチレンブルー（ＢＬＭＢ）が挙げられ、このロイコ系のうちフルオラン系は青、赤、黒の発色が得られる。これらロイコ染料は、溶剤としてのターフェニルに溶解させ、例えばゼラチン−ポリビニルアルコール（ＰＶＡ）を壁材として粒径２〜１０μｍのマイクロカプセルに包含させてマイクロカプセルインキとし、これを上記の顕色材層（１０）上に、スクリーン方式またはグラビア方式で２〜５ｇ／ｍ2 にパートコートして発色剤層（１２）とすることができる。このマイクロカプセルを破壊耐圧５０〜５００ＭＰａの堅牢タイプとするには、カプセル化即ち乳化工程での攪拌スピードと壁材の重量比等の調整で粒径を小さく、壁材の膜厚を厚くすることによって得ることができる。
【００１７】
また、顕色剤層（１０）を構成する電子供与性酸性物質としては、酸性白土、油溶性フェノール樹脂、サルチル酸誘導体などが用いられ、これらを適性溶剤に分散させたスラリーを、用紙本体（３０）の表面全面に塗布する場合はナイフコーターあるいはグラビアコーターで、金座欄（２０）にのみハートコートする場合は、グラビア方式、スクリーン方式あるいはゴム凸フレキソ方式等で２〜５ｇ／ｍ2 の顕色剤層（１０）とすることができる。
【００１８】
【発明の効果】
本発明は以上の構成であるから、下記に示す如き効果がある。
即ち、チェックライターで金額の数字、記号が印字される金座欄を有する用紙本体の表面で少なくとも前記金座欄を覆うように顕色剤層が積層され、該金座欄上の顕色剤層上にマイクロカプセルでなる発色剤層が積層され、このマイクロカプセルは、５０〜５００ＭＰａの圧力で破壊する堅牢タイプである有価証券用紙としたので、この有価証券用紙を用いて、チェックライターで発色剤層の上から押圧印字すると、例えそのチェックライターや印字する人が異なっても、発色した金額を示す数字や記号の濃度がＰＣＳ値０．８以上になり、機械読み取りとその処理が確実に可能な有価証券用紙とすることができる。
【００１９】
従って本発明は、小切手や約束手形等のための有価証券用紙として、優れた実用上の効果を発揮する。
【図面の簡単な説明】
【図１】本発明の有価証券用紙の一実施の形態を説明するもので、
（ａ）は、その正面図である。
（ｂ）は、図１（ａ）のＢ−Ｂ断面図である。
（ｃ）は、図１（ａ）の他の例のＢ−Ｂ断面図である。
【図２】本発明の有価証券用紙を用いて作成した有価証券の一事例を説明する正面図である。
【符号の説明】
１‥‥有価証券
２‥‥有価証券用紙
１０‥‥顕色剤層
１２‥‥発色剤層
２０‥‥金座欄
３０‥‥用紙本体
３０ａ‥‥用紙本体の表面
Ｋ‥‥金額
【図１】
0004314689.tif 000002
【図２】
0004314689.tif 000003